(57)【要約】【課題】  人手が介入した帳票または追加同封物が入った封筒を特定することができる帳票処理システムを提供する。【解決手段】  自動帳票供給部１５，１６から、帳票コンベア１１の各区画エリア１１ａ，１１ｂ…内に帳票Ｗが供給される。帳票コンベア１１の区画エリア１１ａ，１１ｂ内には送付先別の帳票Ｗが供給される。この区画エリア１１ａ，１１ｂ内に追加同封物供給部１２から追加同封物Ｗ１が自動で追加される。人手が帳票コンベア１１内に入った事実は人手介入検出部１２ａにより検出される。帳票コンベア１１の区画エリア１１ａ，１１ｂ…内の帳票Ｗおよび追加同封物Ｗ１は、封筒封入装置１７において封筒１８内に封入され、封筒１８内の帳票Ｗの送付先番号がＣＣＤカメラ２０により読み取られる。ＰＣ２１は、ＣＣＤカメラ２０からの情報と人手介入検出部１２ａからの情報に基づいて人手が介在した帳票Ｗまたは追加同封物Ｗ１が混入した封筒１８を特定する。【選択図】  図１
2005225622.tif 000002
【特許請求の範囲】
【請求項１】
送付先毎に区分けされた複数の区画エリアを有する帳票コンベアと、
帳票コンベアの区画エリアに、予め送付先番号が印字された帳票を供給する自動帳票供給部と、
帳票コンベアの区画エリアに追加帳票を人手により供給する追加帳票供給部と、
帳票コンベア上の帳票を封筒内に送付先番号を外方へ露出して封入する封入装置と、
追加帳票供給部において、帳票コンベア内に人手が入ったことを検知する人手介入検出部と、
帳票コンベアの封入装置下流側に設けられ、帳票に印字された送付先番号を読みとるＣＣＤカメラとを備え、
人手介入検出部とＣＣＤカメラからの情報に基づいて、各封筒内に人手が介入した追加帳票が混入したか否かを制御部により判定することを特徴とする帳票処理システム。
【請求項２】
制御部は、人手が介入した追加帳票の送付先番号を表示する表示機能を有することを特徴とする請求項１記載の帳票処理システム。
【請求項３】
制御部には人手が介入した追加帳票の送付先番号を表示した履歴表をプリントするプリンタが接続されていることを特徴とする請求項１記載の帳票処理システム。
【発明の詳細な説明】
【技術分野】
【０００１】
本発明は印字済みの帳票を処理する帳票処理システムに係り、とりわけシステム内へ人手が介入した場合に、人手が介入した追加帳票を特定することができる帳票処理システムに関する。
【背景技術】
【０００２】
従来より帳票処理システムとして、送付先別に区分けされた複数の区画エリアを有する帳票コンベアと、帳票コンベア上の帳票を封筒内に封入する封入装置とを備えたものが知られている（例えば特許文献１参照）。
【０００３】
帳票コンベアの区画エリアには、予め送付先番号が印字された帳票が収納され、帳票コンベアによって搬送された帳票はその後封入装置において封筒内へ封入される。
【特許文献１】特開２００２−１２０８０２
【発明の開示】
【発明が解決しようとする課題】
【０００４】
帳票コンベアの区画エリアには、予め送付先別番号が印字された帳票が自動帳票供給装置により供給され、帳票はその後帳票コンベアにより封入装置まで搬送される。
【０００５】
この間、帳票コンベアの区画エリア内に人手により追加帳票が追加されることがある。自動帳票供給装置により供給される印字済み帳票は、制御部により制御されて供給されるため、誤った帳票が帳票コンベア内に供給されることは少ないが、人手により追加される追加帳票は作業員の熟練レベルによっては誤ったものが帳票コンベア内に供給されることも考えられる。
【０００６】
本発明はこのような点を考慮してなされたものであり、システム内に人手が介入した場合に、人手が介入した追加帳票を特定することができる帳票処理システムを提供することを目的とする。
【課題を解決するための手段】
【０００７】
本発明は、送付先毎に区分けされた複数の区画エリアを有する帳票コンベアと、帳票コンベアの区画エリアに、予め送付先番号が印字された帳票を供給する自動帳票供給部と、帳票コンベアの区画エリアに追加帳票を人手により供給する追加帳票供給部と、帳票コンベア上の帳票を封筒内に送付先番号を外方へ露出して封入する封入装置と、追加帳票供給部において、帳票コンベア内に人手が入ったことを検知する人手介入検出部と、帳票コンベアの封入装置下流側に設けられ、帳票に印字された送付先番号を読みとるＣＣＤカメラとを備え、人手介入検出部とＣＣＤカメラからの情報に基づいて、各封筒内に人手が介入した追加帳票が混入したか否かを制御部により判定することを特徴とする帳票処理システムである。
【０００８】
本発明は、制御部は、人手が介入した追加帳票の送付先番号を表示する表示機能を有することを特徴とする帳票処理システムである。
【０００９】
本発明は、制御部には人手が介入した追加帳票の送付先番号を表示した履歴表をプリントするプリンタが接続されていることを特徴とする帳票処理システムである。
【発明の効果】
【００１０】
本発明によれば、システム内に人手が介入した場合、人手が介入して供給された追加帳票を特定することができ、これにより封筒内に人手が介入した追加帳票が混入したか否か判定することができる。このため後工程で、追加帳票が混入した封筒のみを検査することができる。
【発明を実施するための最良の形態】
【００１１】
以下、図面を参照して本発明の実施の形態について説明する。
【００１２】
図１乃至図４は、本発明による帳票処理システムの一実施の形態を示す図である。
【００１３】
図１乃至図４に示すように、帳票処理システム１０は送付先毎に区分けされた複数の区画エリア１１ａ，１１ｂ，…を有する帳票コンベア１１と、帳票コンベア１１の区画エリア１１ａ，１１ｂ，…内に予め送付先番号が印字された帳票Ｗを供給する自動帳票供給部１５，１６と、帳票コンベア１１の区画エリア１１ａ，１１ｂ，…内に追加帳票Ｗ１を人手により供給する追加帳票供給部１２とを備えている。
【００１４】
このうち、帳票コンベア１１の区画エリア１１ａ，１１ｂ，…は送付先毎に区分けされており、区画エリア１１ａ，１１ｂ，…内に自動帳票供給部１５，１６からの印字済み帳票Ｗが供給されるとともに、追加帳票供給部１２から人手により追加帳票Ｗ１が所望に応じて追加される。
【００１５】
また自動帳票供給部１５，１６から供給される帳票Ｗは、互いに別個独立のものとなっており、各々区画エリア１１ａ，１１ｂ，…内へ各々独立して供給される。
【００１６】
また帳票コンベア１１の下流端には、区画エリア１１ａ，１１ｂ，…内の帳票Ｗおよび追加帳票Ｗ１を封筒１８内に封入する封入装置１７が設けられ、封筒１８は封筒収納部１８ａから封入装置１７へ供給されるようになっている。
【００１７】
封入装置１７の下流側には、排出コンベア１９が連結され、排出コンベア１９上にＣＣＤカメラ２０が配置されている。さらに排出コンベア１９のＣＣＤカメラ２０の下流側に、封筒排出部２２が設けられている。
【００１８】
ＣＣＤカメラ２０は、排出コンベア１９により排出される封筒１８内の帳票Ｗに印字された送付先番号を窓１８ａを介して読み取るものであり、ＣＣＤカメラ２０により読み取られた送付先番号はＰＣ（制御部）２１へ送られる。
【００１９】
さらに、追加帳票供給部１２の近傍には、追加帳票供給部１２において作業員１の手１ａが帳票コンベア１１内に入ったことを検知する人手介入検出部１２ａが設けられている（図２）。
【００２０】
ＰＣ２０は、人手介入検出部１２ａとＣＣＤカメラ２０からの情報に基づいて、各封筒１８内に人手が介入した追加帳票Ｗ１が混入したか否かを判定するものである。すなわち、帳票コンベア１１内に作業員１の手１ａが入った場合、人手介入検出部１２ａにおいて、作業員１の手１ａを検出する。このとき人手介入検出部１２ａからの情報がＰＣ２１に送られ、ＰＣ２１において人手が介入して追加帳票Ｗ１が供給された区画エリア１１ａ，１１ｂ，…が特定される。
【００２１】
ＰＣ２１は、人手介入検出部１２ａとＣＣＤカメラ２０との位置に基づいて、当該特定された区画エリア１１ａ，１１ｂ…内の帳票Ｗ，Ｗ１がＣＣＤカメラ２０に達する時間を予め求めておき、当該特定された区画エリア１１ａ，１１ｂ…内の帳票Ｗ，Ｗ１の送付先番号をＣＣＤカメラ２０からの情報に基づいて特定するようになっている。
【００２２】
ＰＣ２１はこのようにして各封筒１８内に人手が介入した追加帳票Ｗ１が混入したか否か判定し、特定された送付先番号を判定結果として表示機能２１ａにより表示する。
【００２３】
またＰＣ２１には、ＰＣ２１による判定結果を示す履歴表２をプリントするプリンタ２１ｂが接続されている。
【００２４】
次にこのような構成からなる本実施の形態の作用について説明する。まず、自動供給部１５，１６から送付先番号およびその他の情報が予め印字された帳票Ｗが帳票コンベア１１の各区画エリア１１ａ，１１ｂ，…内に供給される。この場合、各区画エリア１１ａ，１１ｂ，…は送付先毎に予め区分けされており、帳票Ｗは送付先別に各区画エリア１１ａ，１１ｂ，…内に供給される。
【００２５】
帳票コンベア１１の各区画エリア１１ａ，１１ｂ，…には、追加帳票供給部１２から所望に応じて作業員１の手１ａによりパンフレット等の追加帳票Ｗ１が追加して供給される。このとき、追加帳票供給部１２において、帳票コンベア１１内に作業員１の手１ａが入ったことを人手介入検出部１２ａが検出し、人手介入検出部１２ａからの情報はＰＣ２１へ送られる。
【００２６】
帳票コンベア１１の各区画エリア１１ａ，１１ｂ，…内の帳票Ｗ，Ｗ１は、その後封入装置１７まで送られ、この封入装置１７において帳票Ｗ，Ｗ１は封筒１８内に封入される。帳票Ｗ，Ｗ１を封入した封筒１８は排出コンベア１９を経てＣＣＤカメラ２０まで送られ、ＣＣＤカメラ２０により封筒１８の窓１８ａを介して帳票Ｗの送付先番号が読み取られる。その後封筒１８は、排出コンベア１９により封筒排出部２２から検査部２５へ送られる。
【００２７】
この間、人手介入検出部１２ａからの情報とＣＣＤカメラ２０からの情報がＰＣ２１に送られる。ＰＣ２１は人手介入検出部１２ａとＣＣＤカメラ２０からの情報に基づいて、封筒１８内に作業員１の手１ａにより追加帳票Ｗ１が混入した場合、当該封筒１８の送付先番号を特定する。ＰＣ２１はこのようにして、封筒１８内に作業員１の手１ａにより追加帳票Ｗ１が混入したか否か判定するとともに、この判定結果を表示機能２１ａから表示する。同時にＰＣ２１はこの判定結果を履歴票２としてプリンタ２１ｂにより打出す。
【００２８】
図４に示すように、履歴票２には、封筒１８の送付先番号とともに、ＣＣＤカメラ２０によるカメラエラーと、人手が介在されて追加帳票Ｗ１が供給された事実とが表示される。
【００２９】
履歴票２は、後工程の検査部２５へ送られ、この検査部２５において、カメラエラーおよび人手介在に係る封筒１８が開封され、内容物である帳票Ｗと追加帳票Ｗ１の確認作業が行われる。
【００３０】
以上のように本実施の形態によれば、封筒１８内に作業員１が介在して追加帳票Ｗ１が混入した場合、当該封筒１８を開封して帳票Ｗと追加帳票Ｗ１の確認作業を行うので、作業員１の熟練レベルが異なっても、封筒１８内に適切な内容物を確実に封入することができる。
【図面の簡単な説明】
【００３１】
【図１】本発明による帳票処理システムの一実施の形態を示す概略図。
【図２】人手介入検出部を示す図。
【図３】ＣＣＤカメラを示す図。
【図４】ＰＣによる判定結果を表示した履歴表を示す図。
【符号の説明】
【００３２】
１  作業員
１ａ  人手
２  履歴表
１０  帳票システム
１１  帳票コンベア
１１ａ，１１ｂ  区画エリア
１２  追加帳票供給部
１５，１６  自動帳票供給部
１７  封入装置
１８  封筒
１９  排出コンベア
２０  ＣＣＤカメラ
２１  ＰＣ
２２  封筒排出部
２５  検査部
【図１】
2005225622.tif 000003
【図２】
2005225622.tif 000004
【図３】
2005225622.tif 000005
【図４】
2005225622.tif 000006